(57)【要約】【課題】組み立てプロセスと生産コストを大幅に減少する放熱モジュール、およびそのファンと、ハウジングを提供する。また、本発明は、好ましい放熱効率を得て、且つ、製品収率を大幅に上げる放熱モジュールを提供する。【解決手段】少なくとも１つのヒートシンクと、および前記ヒートシンクに接続されたファンとを備えた放熱モジュールであって、前記ファンは、インペラとハウジングとを備え、少なくとも１つの吸込／吐出口を有し、前記インペラがその中に収容されるベース体と、前記ベース体に接続された少なくとも１つの固定ベースと、および前記固定ベース内に収容され、前記ハウジングをシステムへ着脱自在にする少なくとも１つの固定具とを備えた放熱モジュール。【選択図】図３
2008042153.tif 000002
【特許請求の範囲】
【請求項１】
熱源に接続した少なくとも１つのヒートシンクと、インペラ及びハウジングを有するファンとを備えた放熱モジュールであって、
前記ハウジングが、
前記インペラを支えるベースと、
前記ベースの周縁に接続され、前記ベースの中心から離れた方向に向いて伸びる少なくとも１つの支持リブと、
前記支持リブに対応して接続され、前記支持リブをそれ自身と前記ベースとの間に位置させる少なくとも１つの支持壁と、
前記支持壁または前記支持リブに接続され、前記ベース，前記支持リブ，前記支持壁と共にベース体を構成する環状壁と、
前記ベース体から軸方向に突出し、且つ、少なくとも１つの第１ブロック部を有し、前記ヒートシンクを前記ハウジングの上に固定させる少なくとも１つの突出部と、
前記突出部の端に位置され、前記ベース，前記支持リブ，前記支持壁，前記環状壁，前記突出部と共に一体成形される少なくとも１つの固定ベースと、
前記固定ベース内に収容され、前記ハウジングをシステムへ着脱自在とする少なくとも１つの固定具とを備えた放熱モジュール。
【請求項２】
少なくとも１つのヒートシンクと、前記ヒートシンクに接続されたファンとを備えた放熱モジュールであって、前記ファンが、インペラとハウジングとを備え、少なくとも１つの吸込／吐出口を有し、前記インペラがその中に収容されるベース体と、前記ベース体に接続された少なくとも１つの固定ベースと、前記固定ベース内に収容され、前記ハウジングをシステムへ着脱自在とする少なくとも１つの固定具とを備えた放熱モジュール。
【請求項３】
前記固定具と前記システムとの着脱方式が、前記固定具を回転する、又は押す、又は引っ張る方式である請求項１又は請求項２に記載の放熱モジュール。
【請求項４】
前記ハウジングが、前記ベース体から突出し、且つ、少なくとも１つの第１ブロック部を有し、前記ヒートシンクを前記ハウジングの上に固定させる少なくとも１つの突出部を更に有する請求項２に記載の放熱モジュール。
【請求項５】
前記ハウジングが、前記ベース体から軸方向に伸び、突出する少なくとも１つの第２ブロック部を更に備え、且つ、前記第２ブロック部と前記突出部とが、第２収容空間を作り出し、前記ヒートシンクが、前記第２収容空間内に位置される請求項１又は請求項４に記載の放熱モジュール。
【請求項６】
前記第２ブロック部が、導線を挟む挟み溝を有する請求項５に記載の放熱モジュール。
【請求項７】
インペラとハウジングとを備えるファンであって、
前記インペラを支えるベースと、
前記ベースの周縁に接続され、前記ベースの中心から離れた方向に向いて伸びる少なくとも１つの支持リブと、
前記支持リブに対応して接続され、前記支持リブをそれ自身と前記ベースとの間に位置させる少なくとも１つの支持壁と、
前記支持壁または前記支持リブに接続され、前記ベース，前記支持リブ，前記支持壁と共にベース体を構成する環状壁と、
前記ベース体から軸方向に突出する少なくとも１つの突出部と、
前記突出部の端に位置され、前記ベース，前記支持リブ，前記支持壁，前記環状壁，前記突出部と共に一体成形される少なくとも１つの固定ベースと、
前記固定ベース内に収容され、前記ハウジングをシステムへ着脱自在とする少なくとも１つの固定具とを備えたファン。
【請求項８】
インペラとハウジングとを備え、少なくとも１つの吸込／吐出口を有し、前記インペラがその中に収容されるベース体と、前記ベース体に接続された少なくとも１つの固定ベースと、前記固定ベース内に収容され、前記ハウジングをシステムへ着脱自在とする少なくとも１つの固定具とを備えたファン。
【請求項９】
前記固定具と前記システムとの着脱方式が、前記固定具を回転する、又は押す、又は引っ張る方式である請求項７又は請求項８に記載のファン。
【請求項１０】
前記ハウジングが、前記ベース体から突出し、且つ、少なくとも１つの第１ブロック部を有し、前記ヒートシンクを前記ハウジングの上に固定させる少なくとも１つの突出部を更に有する請求項８に記載のファン。
【請求項１１】
前記ハウジングが、前記ベース体から軸方向に伸び、突出する少なくとも１つの第２ブロック部を更に備え、且つ、前記第２ブロック部が、導線を挟む挟み溝を有する請求項７又は請求項８に記載のファン。
【請求項１２】
前記ベース体が、少なくとも１つの支持リブと、前記支持リブに接続され、前記インペラが前記支持リブとそれ自身が囲んで形成した空間内に収容される少なくとも１つの支持壁とを更に備えた請求項８に記載のファン。
【請求項１３】
前記支持リブ又は前記支持壁が、棒状構造体，板状構造体，静翼形式の構造体，湾曲板構造体，網状構造体，環状構造体，模様のある構造体のいずれかから構成される請求項７又は請求項１２に記載のファン。
【請求項１４】
ファンに用いられるハウジングであって、
ベースと、
前記ベースの周縁に接続され、前記ベースの中心から離れた方向に向いて伸びる少なくとも１つの支持リブと、
前記支持リブに対応して接続され、前記支持リブをそれ自身と前記ベースとの間に位置させる少なくとも１つの支持壁と、
前記支持壁または前記支持リブに接続され、前記ベース，前記支持リブ，前記支持壁と共にベース体を構成する環状壁と、
前記ベース体から軸方向に突出する少なくとも１つの突出部と、
前記突出部の端に位置され、前記ベース，前記支持リブ，前記支持壁，前記環状壁，前記突出部と共に一体成形される少なくとも１つの固定ベースと、
前記固定ベース内に収容され、前記ハウジングをシステムへ着脱自在とする少なくとも１つの固定具とを備えたハウジング。
【請求項１５】
ファンに用いられるハウジングであって、少なくとも１つの吸込／吐出口を有するベース体と、前記ベース体に接続された少なくとも１つの固定ベースと、前記固定ベース内に収容され、前記ハウジングをシステムへ着脱自在とする少なくとも１つの固定具とを備えたハウジング。
【請求項１６】
前記固定具と前記システムとの着脱方式が、前記固定具を回転する、又は押す、又は引っ張る方式である請求項１４又は請求項１５に記載のハウジング。
【発明の詳細な説明】
【技術分野】
【０００１】
本発明は、放熱モジュール、ファン、およびそのハウジングに関し、特に、収率（歩留まり）が高く、低コストで、製造プロセスの少ない放熱モジュール、ファン、およびそのハウジングに関するものである。
【背景技術】
【０００２】
現在の電子装置内には、例えば、セントラルプロセッサユニット（ＣＰＵ）などを前記電子装置の演算処理として用いている。しかし、ＣＰＵを例とした場合、このＣＰＵの高速化に伴って、前記ＣＰＵが発生する熱も大幅に増加する。また、この熱は、１つのファンとヒートシンクを兼ね備えた放熱モジュールがなければ迅速に排除することができない。
【０００３】
図１を参照すると、従来のファンとヒートシンクを兼ね備えた放熱モジュール２００は、３つの分離した部品より構成されている。即ち、従来の放熱モジュール２００は、ファン２０２と、ヒートシンク２０４と、金属製のＸクリップ２０６と、固定具２０８とにより形成される。前述した従来の放熱モジュール２００の組み立て方法は、まず、前記ファン２０２を前記ヒートシンク２０４の上面に嵌合して、クランプ継手、またはリベット継手などの方式で位置合わせをし、前記Ｘクリップ２０６を前記ヒートシンク２０４の底面に位置合わせして固定した後、前記固定具２０８を前記Ｘクリップ２０６の周縁に収容して、放熱モジュールの組み立てを完成する。
【０００４】
しかし、前述の構造では、２回の位置合わせをした嵌合接続のプロセス、即ち、前記ファンと前記ヒートシンク間の位置合わせをした嵌合接続と、前記ヒートシンクと前記Ｘクリップのクランプ継手、またはリベット継手との位置合わせをした嵌合接続とが必要である。前記ヒートシンクと前記Ｘクリップのクランプ継手、またはリベット継手との位置合わせは、かなり高い精密度が必要であり、前記ヒートシンクと前記Ｘクリップとが精密に位置合わせされなければ、前記放熱モジュールを放熱したい熱源に緊密に接合することができないか、または外れ易くなる。
【０００５】
これによって分かるように、従来の放熱モジュールは、組み立てのプロセス、スケジュールが上述のステップにより、延長されて増加されるだけでなく、精密度不足により製品の収率を下げ、生産コストを増加させ易い（先行文献はありません）。
【発明の開示】
【発明が解決しようとする課題】
【０００６】
よって、上述の問題を解決するため、本発明は、組み立てプロセスと生産コストを大幅に減少する放熱モジュール、及びそのファンとハウジングを提供する。
また、本発明は、好ましい放熱効率を得て、且つ、製品収率を大幅に上げる放熱モジュールを提供する。
【課題を解決するための手段】
【０００７】
よって、本発明は、放熱モジュールを提供し、前記放熱モジュールは、少なくとも１つのヒートシンクとファンとを備える。前記ヒートシンクは、熱源に接続され、前記ファンは、インペラとハウジングとを備える。前記ハウジングは、ベースと、少なくとも１つの支持リブと、少なくとも１つの支持壁と、環状壁と、少なくとも１つの突出部と、少なくとも１つの固定ベースと、少なくとも１つの固定具とを備える。前記ベースは、前記インペラを支える。前記支持リブは、前記ベースの周縁に接続され、前記ベースの中心から離れた方向に向いて伸びる。前記支持壁は、前記支持リブに対応して接続され、前記支持リブを前記支持壁と前記ベースとの間に位置させる。環状壁は、前記支持壁または前記支持リブに接続され、且つ、前記ベース，前記支持リブ，前記支持壁と共に、前記環状壁がベース体を構成する。前記突出部は、前記ベース体から軸方向に突出し、且つ、少なくとも１つの第１ブロック部を有し、前記ヒートシンクを前記ハウジングの上に固定させる。前記固定ベースは、前記突出部の端に位置され、且つ、前記ベース，前記支持リブ，前記支持壁，前記環状壁，前記突出部と共に、前記固定ベースは一体成形される。前記固定具は、前記固定ベース内に収容される。
【０００８】
本発明はまた、放熱モジュールを提供し、前記放熱モジュールは、少なくとも１つのヒートシンクとファンとを備える。前記ヒートシンクは、熱源に接続され、前記ファンは、インペラとハウジングとを備える。前記ハウジングは、ベース体と、少なくとも１つの突出部と、少なくとも１つの固定ベースと、少なくとも１つの固定具とを備える。前記ベース体は、少なくとも１つの吸込／吐出口を有し、且つ、前記インペラは、前記ベース体の中に収容される。前記突出部は、前記ベース体から軸方向に突出し、且つ、少なくとも１つの第１ブロック部を有し、前記ヒートシンクを前記ハウジングの上に固定させる。前記固定ベースは、前記突出部の端に位置され、且つ、前記ベース体と、前記突出部と共に、前記固定ベースは一体成形される。前記固定具は、前記固定ベース内に収容される。
【０００９】
よって、本発明はまた、ファンを提供し、前記ファンは、インペラとハウジングとを備える。前記ハウジングは、ベースと、少なくとも１つの支持リブと、少なくとも１つの支持壁と、環状壁と、少なくとも１つの突出部と、少なくとも１つの固定ベースと、少なくとも１つの固定具とを備える。前記ベースは、前記インペラを支える。前記支持リブは、前記ベースの周縁に接続され、且つ、前記ベースの中心から離れた方向に向いて伸びる。前記支持壁は、前記支持リブに対応して接続され、前記支持リブを前記支持壁と前記ベースとの間に位置させる。環状壁は、前記支持壁または前記支持リブに接続され、且つ、前記ベースと、前記支持リブと、前記支持壁と共に、前記環状壁はベース体を構成する。前記突出部は、前記ベース体から軸方向に突出する。前記固定ベースは、前記突出部の端に位置され、且つ、前記ベースと、前記支持リブと、前記支持壁と、前記環状壁と、前記突出部と共に、前記固定ベースは一体成形される。前記固定具は、前記固定ベース内に収容される。
【００１０】
よって、本発明はまた、ファンを提供し、前記ファンは、インペラとハウジングとを備える。前記ハウジングは、ベース体と、少なくとも１つの突出部と、少なくとも１つの固定ベースと、少なくとも１つの固定具とを備える。前記ベース体は、少なくとも１つの吸込／吐出口を有し、且つ、前記インペラは、前記ベース体の中に収容される。前記突出部は、前記ベース体から軸方向に突出する。前記固定ベースは、前記突出部の端に位置され、且つ、前記ベース体と、前記突出部と共に、前記固定ベースは一体成形される。前記固定具は、前記固定ベース内に収容される。
【００１１】
本発明はまた、ハウジングを提供する。前記ハウジングは、ベースと、少なくとも１つの支持リブと、少なくとも１つの支持壁と、環状壁と、少なくとも１つの突出部と、少なくとも１つの固定ベースと、少なくとも１つの固定具とを備える。前記支持リブは、前記ベースの周縁に接続され、且つ、前記ベースの中心から離れた方向に向いて伸びる。前記支持壁は、前記支持リブに対応して接続され、前記支持リブを前記支持壁と前記ベースとの間に位置させる。環状壁は、前記支持壁または前記支持リブに接続され、且つ、前記ベースと、前記支持リブと、前記支持壁と共に、前記環状壁がベース体を構成する。前記突出部は、前記ベース体から軸方向に突出する。前記固定ベースは、前記突出部の端に位置され、且つ、前記ベースと、前記支持リブと、前記支持壁と、前記環状壁と、前記突出部と共に、前記固定ベースは一体成形される。前記固定具は、前記固定ベース内に収容される。
【００１２】
本発明はまた、ハウジングを提供し、前記ハウジングは、ベース体と、少なくとも１つの突出部と、少なくとも１つの固定ベースと、少なくとも１つの固定具とを備える。前記ベース体は、少なくとも１つの吸込／吐出口を有し、前記突出部は、前記ベース体から軸方向に突出する。前記固定ベースは、前記突出部の端に位置され、且つ、前記ベース体と、前記突出部と共に、前記固定ベースは一体成形される。前記固定具は、前記固定ベース内に収容される。
【発明の効果】
【００１３】
上述の本発明の放熱モジュールは、前記ハウジングが固定具を有する一体成形の構造体であることから、放熱モジュールは、その他の金属製のＸクリップを用いる必要なく、迅速で且つ、精密にシステムの熱源と接合、または分離することができるため、組み立てプロセスと生産コストを大幅に減少し、且つ、製品収率を大幅に上げることができる。
【発明を実施するための最良の形態】
【００１４】
本発明についての目的、特徴、長所が一層明確に理解されるよう、以下に実施形態を例示し、図面を参照しながら、詳細に説明する。
【実施例】
【００１５】
図２は、本発明の好ましい実施例における放熱モジュールの立体概略図を表している。図３は、本発明の好ましい実施例におけるファンの立体概略図を表している。図４は、図３の側面図を表している。
【００１６】
図２と図４を合わせて参照すると、放熱モジュールは、少なくとも１つのヒートシンク１０８とファン１０２とにより構成され、ファン１０２は、インペラ１０６とハウジング１０４とを備える。
【００１７】
前記ヒートシンク１０８は、熱伝導構造体からなり、その材料は金属または熱伝導性の材料とすればよい。前記ヒートシンク１０８の軸方向の断面形状は、円形、多辺形（多角形）、楕円形、または、その他不規則な形状となり得る。前記ヒートシンク１０８は、好ましくは、中心線上に熱伝導面を有し、前記ヒートシンク１０８は、この熱伝導面によって熱源と互いに接続される。前記熱源は、ＣＰＵなどの電子装置となり得る。
【００１８】
前記インペラ１０６は、前記ハウジング１０４と接続され、モーターによって駆動される。前記インペラ１０６の形式は、軸流式、遠心式、または平面式（クロスフロー式）とすればよい。
【００１９】
前記ハウジング１０４は、ベース体１３２と、少なくとも１つの突出部１３０と、少なくとも１つの固定ベース１２０と、少なくとも１つの固定具１２２とを有し、前記ベース体１３２と、前記突出部１３０と、前記固定ベース１２０とは一体成形される。
【００２０】
前記ベース体１３２は、ベース１１０と、少なくとも１つの支持リブ１１２と、少なくとも１つの支持壁１１４と、環状壁１１６とを有する。前記ベース体１３２の軸方向の断面形状は、円形、または多辺形となり得る。前記ベース１１０は、板状構造体、網状構造体、または棒状構造体からなり得る。また、前記ベース１１０は、前記インペラ１０６を受けるように用いられる。
【００２１】
前記支持リブ１１２は、前記ベース１１０の周縁に接続され、前記ベース１１０の中心から離れた方向に向いて伸びる。前記支持リブ１１２は、好ましくは、前記ベース１１０と同じ平面に位置される。前記支持リブ１１２は、棒状構造体、静翼形式の構造体、板状構造体、湾曲板構造体、網状構造体、環状構造体、または模様のある構造体となり得る。前記支持リブ１１２の上は、前記ファンの導線を導く導線溝１３６を形成してもよい。
【００２２】
前記支持壁１１４は、前記支持リブ１１２に対応して接続され、前記支持リブ１１２は、前記支持壁１１４と前記ベース１１０との間に位置される。前記支持壁１１４は、前記ハウジング１０４の中心線に平行、または不平行の棒状構造体、板状構造体、静翼形式の構造体、湾曲板構造体、網状構造体、環状構造体、または模様のある構造体となり得る。また、前記支持壁１１４の上に模様がある場合には、前記ハウジング１０４を美化し、材料の使用量の減少と前記支持壁１１４の抗張力を増加することができる。
【００２３】
前記環状壁１１６は、支持壁１１４または支持リブ１１２に接続され、前記ハウジング１０４の抗張力を増加し、前記ハウジング１０４の形状を維持する。前記環状壁１１６は、環状構造体からなる。前記環状壁１１６の軸方向の断面形状は、円形、楕円形、多辺形となり得る。
【００２４】
前記ベース１１０と、前記支持リブ１１２と、前記支持壁１１４と、前記環状壁１１６とは、少なくとも１つの気流の吸込／吐出口１３４を構成し、前記インペラ１０６より運ばれた気流の吸込／排出を提供する。また、前記ベース１１０と、前記支持リブ１１２と、前記支持壁１１４と、前記環状壁１１６とはまた、収容空間１２８を作り出し、前記インペラ１０６は、前記収容空間１２８内に収容される。
【００２５】
前記突出部１３０は、前記ベース体１３２から軸方向に突出している。前記突出部１３０は、前記環状壁１１６または前記支持壁１１４から軸方向に外向きに伸ばしてもよい。前記突出部１３０は、少なくとも１つのブロック部１２４を有し、前記ヒートシンク１０８を前記ハウジング１０２の上に固定させる。また、前記ブロック部１２４は、前記ハウジング１０４の中心線に向けて突出部１３０を突出する。前記ブロック部１２４は、突起部、逆フック、ほぞ穴としてもよい。
【００２６】
前記固定ベース１２０は、前記ベース体１３２と接続されるか、または前記ベース体１３２から離れた前記突出部１３０の端（即ち末端）と互いに接続され、前記固定具１２２を収容する。また、前記固定ベース１２０はまた、前記突出部１３０の中段と互いに接続するように変更してもよい。または前記ベース体１３２に近い前記突出部１３０の端（即ち基端）と互いに接続するように変更してもよい。前記固定ベース１２０は、筒状構造体とすればよい。
【００２７】
また、前記ベース１１０と、前記支持リブ１１２と、前記支持壁１１４と、前記環状壁１１６と、前記突出部１３０と、前記固定ベース１２０とは、一体成形され、前記ハウジング１０４（言い換えれば、前記ベース１１０と、前記支持リブ１１２と、前記支持壁１１４と、前記環状壁１１６と、前記突出部１３０と、前記固定ベース１２０と）の材料は、金属またはプラスチックとすればよい。
【００２８】
また、前記固定具１２２は、移動可能な状態で前記固定ベース１２０内に収容される。前記固定具１２２は、前記ハウジング１０４を外部システムに固定、または前記ハウジング１０４を前記外部システムから分離するために用いられる。前述の固定及び／または分離の方式（着脱方式）は、前記固定具１２２を回転、押す、または引っ張る方式からなる。具体的に言えば、前記ハウジング１０４を前記外部システムの上に配置する時、前記固定具１２２を一定角度（例えば９０度）、回転することで前記固定具１２２の底部を拡張させ、前記ハウジング１０４を前記外部システムに係合させる。次に、前記固定具１２２を一定角度（例えば９０度）、反転することで前記固定具１２２の底部を縮小させ、前記ハウジング１０４を前記外部システムから分離させる。前記固定具１２２の材料は、プラスチックまたは金属からなり、且つ、前記固定具１２２は、前記固定ベース１２０から外れない。
【００２９】
また、前記ハウジング１０４は、少なくとも１つのブロック部１１８を更に備えてもよく、前記ブロック部１１８は、前記ベース体１３２から軸方向に伸び、突出しており、且つ、前記ブロック部１１８と前記突出部１３０は、収容空間１２６を作り出し、前記ヒートシンク１０８は、前記収容空間１２６内に位置される。前記収容空間１２６は、前記ヒートシンク１０８の形状と互いに対応する。前記ブロック部１１８は、導線を挟む挟み溝を更に有する。
【００３０】
以上、本発明の好適な実施例を例示したが、これは本発明を限定するものではなく、本発明の技術的思想及び範囲を逸脱しない限りにおいては、当業者であれば行い得る少々の変更や改良を付加することは可能である。従って、本発明が保護を請求する範囲は、特許請求の範囲を基準とする。
【図面の簡単な説明】
【００３１】
【図１】従来の放熱モジュールの立体概略図を表している。
【図２】本発明の好ましい実施例の放熱モジュールの立体概略図を表している。
【図３】本発明の好ましい実施例のファンの立体概略図を表している。
【図４】図３の側面図を表している。
【符号の説明】
【００３２】
１００，２００  放熱モジュール
１０２  ファン
１０４  ハウジング
１０６  インペラ
１０８，２０４  ヒートシンク
１１０  ベース
１１２  支持リブ
１１４  支持壁
１１６  環状壁
１１８，１２４  ブロック部
１２０  固定ベース
１２２，２０８  固定具
１２６，１２８  収容空間
１３０  突出部
１３２  ベース体
１３４  気流の吸込／吐出口
１３６  導線溝
２０２  ファン
２０６  Ｘクリップ
【図１】
2008042153.tif 000003
【図２】
2008042153.tif 000004
【図３】
2008042153.tif 000005
【図４】
2008042153.tif 000006